(57)【特許請求の範囲】
【請求項１】
換気手段に接続するのに好適な上シェル（３；２２）と、
気管または気管切開チューブに接続するのに好適な下シェル（４；２３）と、
前記上シェル（３；２２）と前記下シェル（４；２３）との間に配置されるフィルタ（７）および／またはＨＭＥ（８；３１）と、
前記フィルタ（７）および／またはＨＭＥ（８；３１）の正面に配置され、且つ前記下シェル（４；２３）に面する凝縮スクリーン（９；２６）と、を備える、フィルタおよび／またはＨＭＥ装置（１；２０）であって、
前記凝縮スクリーン（９；２６）は、前記フィルタ（７）および／またはＨＭＥ（８；３１）から延在し、かつ前記下シェル（４；２３）の一部（４ａ；２８）とともに、生じる凝縮体が前記フィルタ（７）および／またはＨＭＥ（８；３１）に到達することを防止する収集チャンバ（１３；２９）を形成するのに好適な円錐壁（１０；２７）を有し、
前記凝縮スクリーン（９；２６）には、前記円錐壁（１０；２７）の対称軸（Ａ；Ｂ）の周囲に配置される、複数の開口部（１１；２７ａ）が存在する
ことを特徴とするフィルタおよび／またはＨＭＥ装置（１；２０）。
【請求項２】
前記開口部（２７ａ）は、前記開口部が放射状に延在する前記対称軸（Ｂ）において、互いに接続される
ことを特徴とする請求項１に記載のフィルタおよび／またはＨＭＥ装置（２０）。
【請求項３】
前記下シェル（２３）は、前記気管または気管切開チューブに接続するのに好適な接続ダクト（２５）を備え、
前記凝縮スクリーン（２６）は、前記下シェル（２３）と１つ以上の部品で形成され、前記接続ダクト（２５）の内側に漏斗の形状で延在する
ことを特徴とする請求項２に記載のフィルタおよび／またはＨＭＥ装置（２０）。
【請求項４】
前記接続ダクト（２５）において、前記壁（２７）の周辺部（２７ｂ）とともに、収集チャンバ（２９）を画定するための円形凹部（２８）が形成される
ことを特徴とする請求項３に記載のフィルタおよび／またはＨＭＥ装置（２０）。
【請求項５】
前記円錐壁（１０）は、周囲に前記開口部（１１）が形成された中央部（１２）を備え
、
前記中央部（１２）は、患者により吐き出されたいかなる有機液体も遮断する機能を有する
ことを特徴とする請求項１に記載のフィルタおよび／またはＨＭＥ装置（１）。
【請求項６】
凝縮体収集チャンバ（１３）に面する排液開口部（１４）を備える
ことを特徴とする請求項１から５の何れか１項に記載のフィルタおよび／またはＨＭＥ装置（１）。
【請求項７】
前記収集チャンバ（２９）内に収納される吸収性材料のリング（３２）を備える
ことを特徴とする、請求項１から６の何れか１項に記載のフィルタおよび／またはＨＭＥ装置（２０）。
【発明の詳細な説明】
【技術分野】
【０００１】
本発明は、凝縮トラップを備える呼吸回路のためのフィルタおよび／またはＨＭＥ装置に関する。
【０００２】
既知のとおり、柔軟な方法で、患者の気管または気管切開チューブを、換気システムと連結するために使用される呼吸回路は、患者により吸入される空気の質、温度、および湿度が、該患者に何の悪影響も及ぼさないようなものであることを確実にするために、フィルタおよびＨＭＥ（Heat Moisture Exchange:熱湿交換器）装置を備える。ＨＭＥ装置は、患者により吐き出された空気からの水蒸気を保持し、かつそれを、換気システムからの空気であって、患者が吸入する空気を加湿するために使用するのに好適である。
【０００３】
呼吸回路の使用中に生じ得る欠点は、患者により吐き出された空気中の湿度による凝縮体の形成に関係する。実際に、吐き出された空気は、より高い温度であり、その空気がフィルタおよび／またはＨＭＥ装置に達する際、それが飽和して水蒸気の凝縮体の形成を引き起こし得る、より低い温度に遭遇する。
【０００４】
明らかであり得るように、この凝縮体の形成は、フィルタおよび／またはＨＭＥ装置の正常動作を阻害する可能性があり、少なくとも部分的に気道を妨害し、結果として、このフィルタおよび／またはＨＭＥ装置を、交換しなければならず、これが示唆する費用および実用性の点から問題となる。
【０００５】
本発明の目的は、前述の欠点を克服することが可能である凝縮トラップを備える、フィルタおよび／またはＨＭＥ装置を提供することである。
【０００６】
本発明は、換気手段に接続するのに好適な上シェルと、患者の気管または気管切開チューブに接続するのに好適な下シェルと、該上シェルと該下シェルとの間に配置されるフィルタおよび／またはＨＭＥ要素と、該フィルタおよび／またはＨＭＥ要素の正面に配置され、且つ該下シェルに面する凝縮スクリーンと、を備え、該凝縮スクリーンは、該フィルタおよび／またはＨＭＥ要素の反対部から延在し、かつ該下シェルの一部とともに、生じる凝縮体のための収集チャンバを形成するのに好適な円錐壁を有し、該凝縮スクリーンには、円錐壁の対称軸周囲に配置される複数の開口部が存在することを特徴とする、フィルタおよび／またはＨＭＥ装置に関する。
【０００７】
好ましい実施形態によると、本発明の装置は、該凝縮体収集チャンバに面する排液開口部を備える。
【０００８】
本発明の装置のさらなる実施形態によると、該下シェルは、気管または気管切開チューブに接続するのに好適な接続ダクトを備え、該凝縮スクリーンは、該下シェルと１つの部品で形成され、該接続ダクト内の内側に漏斗の形状で延在する。好ましくは、本実施形態において、凝縮スクリーン内に形成される該開口部は、開口部が放射状に延在する該対称軸において、互いに接続される。
【０００９】
以下の実施例は、添付図面の図を用いて本発明の理解を容易にするために、純粋に限定されない実施例として提供される。
【図面の簡単な説明】
【００１０】
【図１】第１の実施形態による、本発明の目的物を形成する装置の断面図を示す。
【図２】図１の装置の分解図を示す。
【図３】第２の実施形態による、本発明の装置の断面図を示す。
【図４】図３の装置の分解図を示す。
【００１１】
図１および図２では、本発明の装置の第１の実施形態を、全体として１で示す。装置１は、連結機構により互いに連結される上シェル３および下シェル４から成る、包含構造２を備える。シェル３およびシェル４の両者は、それぞれ、かつ間接的に、換気手段および患者の気管または気管切開チューブに接続するのに好適である、それぞれの接続ダクト５および６を備えている。
【００１２】
包含構造２の内側において、最上部から最下部に向かって、フィルタ７、ＨＭＥ８、および凝縮スクリーン９が収納される。図１および図２に示されるように、凝縮スクリーン９は、ＨＭＥ要素８と下シェル４の底壁４ａとの間に配置される。
【００１３】
凝縮スクリーン９は、円錐壁１０により画定され、この壁１０の対称軸Ａが通過する中央部１２の周囲に配置される、３つの開口部１１が形成される。壁１０の円錐形状は、壁１０の周辺部１０ａおよび下シェル４の底壁４ａにより画定され、生じる凝縮体のための収集チャンバ１３を定める。
【００１４】
下シェル４の底壁４ａにおいて、収集チャンバ１３に面し、排液口１５に接続される、排液開口部１４が形成される。排液開口部１４および排液口１５の機能は、生じ、収集チャンバ１３内に存在する凝縮体を、注射器等の使用により外部から除去することを可能にすることである。
【００１５】
最後に、壁１０の円形状の中央部１２は、患者により吐き出されたいかなる有機液体も遮断する機能を有する。
【００１６】
したがって、凝縮スクリーン９は、生じた凝縮体が、フィルタおよび／またはＨＭＥ要素に到達することを防止し、空気が開口部１１を通じて流動する一方で、該凝縮体を収集チャンバ１３に移送し、同時に、中央部１２でいかなる有機液体を遮断することにより、これらの液体も、フィルタおよび／またはＨＭＥ要素に到達することを防止する。
【００１７】
図３および図４は、本発明の装置の第２の実施形態を、全体として２０で示す。装置２０は、連結機構により互いに連結される上シェル２２および下シェル２３から成る、包含構造２１を備える。シェル２２およびシェル２３の両者は、それぞれ、かつ間接的に、換気手段および患者の気管または気管切開チューブに接続するのに好適である、それぞれの接続ダクト２４および２５を備えている。
【００１８】
装置２０は、下シェル２３と１つ以上の部品で形成され、接続ダクト２５の内側に、漏斗の形状で延在する壁２７により画定される、凝縮スクリーン２６を備える。
【００１９】
壁２７には、この壁２７の対称軸Ｂから放射状に延在する、複数の長方形の開口部２７ａが存在する。接続ダクト２５には、凝縮スクリーン２６の壁２７の延長部分において、円形凹部２８が形成される。円形凹部２８は、壁２７の周辺部２７ｂとともに、生じる凝縮体のための収集チャンバ２９を確定する。壁２７の形状は、空気が開口部２７ａを通じて流動する一方で、生じる凝縮体を収集チャンバ２９へと移送する。
【００２０】
また、下シェル２３は、上シェル２２に面し、包含構造２１内に収納されるフィルタおよび／またはＨＭＥ３１が配置される、複数のリブ３０を備える。
【００２１】
最後に、装置２０は、生じる凝縮体がフィルタまたはＨＭＥ３１に到達しないというさらなる保証を提供するために、収集チャンバ２９内に収納される吸収性材料のリング３２を備える。
【００２２】
当業者には明らかなように、吸収性材料のリング３２がない場合は、装置２０には、装置１の開口部１４と同様の、収集チャンバ２９に面する、排液開口部が存在する。
【００２３】
上述のように、本発明の装置は、生じた凝縮体が、フィルタまたはＨＭＥに到達せず、したがって、その動作を阻害しないと同時に、装置の分解または交換を必要とすることなく、凝縮体が、収集チャンバに移送されることを可能にすることを確実にする。
【図１】
0005465470.tif 000002
【図２】
0005465470.tif 000003
【図３】
0005465470.tif 000004
【図４】
0005465470.tif 000005